(57)【特許請求の範囲】
【請求項１】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される少なくとも１つの無線カードから無線により送信される認識番号と上記読取手段により読取った認識番号とに基づいて、無線カードの重送か否かを判断する判断手段と、
この判断手段により無線カードの重送が判断されなかった際に、所定の情報を付加した無線カードを発行する発行手段と、
を具備したことを特徴とする無線カード発行機。
【請求項２】
上記無線カードに記憶部が内蔵され、この記憶部に上記認識番号が記憶されていることを特徴とする請求項１に記載の無線カード発行機。
【請求項３】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、
この判断手段により無線カードの取出しが正常と判断した際に、所定の情報を付加した無線カードを発行する発行手段と、
を具備したことを特徴とする無線カード発行機。
【請求項４】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号が１つで、かつこの認識番号と上記読取手段により読取った認識番号とが一致した際、無線カードの取出しが正常と判断する第１の判断手段と、
この第１の判断手段により無線カードの取出しが正常と判断した際に、所定の情報を付加した無線カードを発行する発行手段と、
上記取出手段により取出される無線カードから無線により送信される認識番号が複数の場合、無線カードの重送を判断する第２の判断手段と、
を具備したことを特徴とする無線カード発行機。
【請求項５】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、
この判断手段により無線カードの取出しが正常と判断した際に、所定の情報を付加した無線カードを発行する発行手段と、
上記判断手段により無線カードの重送を判断した際、上記取出手段により取出された無線カードを回収する回収手段と、
を具備したことを特徴とする無線カード発行機。
【請求項６】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号が１つで、かつこの認識番号と上記読取手段により読取った認識番号とが一致した際、無線カードの取出しが正常と判断する第１の判断手段と、
この第１の判断手段により無線カードの取出しが正常と判断した際に、所定の情報を付加した無線カードを発行する発行手段と、
上記取出手段により取出される無線カードから無線により送信される認識番号が複数の場合、無線カードの重送を判断する第２の判断手段と、
この第２の判断手段により無線カードの重送を判断した際、上記取出手段により取出された無線カードを回収する回収手段と、
を具備したことを特徴とする無線カード発行機。
【請求項７】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、
この判断手段により無線カードの取出しが正常と判断した際に、所定の情報を付加した無線カードを発行する発行手段と、
上記判断手段により無線カードの重送を判断した際、上記取出手段により取出された無線カードを分離する分離手段と、
この分離手段により分離された無線カードに対して、上記発行手段により所定の情報を付加して発行する処理手段と、
を具備したことを特徴とする無線カード発行機。
【請求項８】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号が１つで、かつこの認識番号と上記読取手段により読取った認識番号とが一致した際、無線カードの取出しが正常と判断する第１の判断手段と、
この第１の判断手段により無線カードの取出しが正常と判断した際に、所定の情報を付加した無線カードを発行する発行手段と、
上記取出手段により取出される無線カードから無線により送信される認識番号が複数の場合、無線カードの重送を判断する第２の判断手段と、
この第２の判断手段により無線カードの重送を判断した際、上記取出手段により取出された無線カードを分離する分離手段と、
この分離手段により分離された無線カードに対して、上記発行手段により所定の情報を付加して発行する処理手段と、
を具備したことを特徴とする無線カード発行機。
【請求項９】
認識番号が記載されているとともに無線により認識番号を送信する無線カードが収納されている収納手段と、
この収納手段により収納されている無線カードを順次取出す取出手段と、
この取出手段により取出される無線カードに記載されている認識番号を読取る読取手段と、
上記取出手段により取出される無線カードから無線により送信される認識番号と上記読取手段により読取った認識番号とが一致した際、無線カードの取出しが正常と判断し、上記認識番号が不一致の際、無線カードの重送を判断する第１の判断手段と、
この第１の判断手段により無線カードの取出しが正常と判断した際に、所定の情報を上記無線カードに印刷する印刷手段と、
この印刷手段による印刷後、所定の情報を無線により上記無線カードに書込む書込み手段と、
この書込み手段により無線カードに書き込んだ所定の情報を無線により無線カードから読出す読出し手段と、
この読出し手段により読出した所定の情報と上記書込み手段により無線カードに書き込んだ所定の情報とが一致するか否かにより、上記無線カードに所定の情報が正確に書き込まれたか否かを判断する第２の判断手段と、
この第２の判断手段により上記無線カードに所定の情報が正確に書き込まれたことが判断された際に、上記無線カードを発行する発行手段と、
上記第２の判断手段により上記無線カードに所定の情報が正確に書き込まれたことが判断された際に、上記無線カードにボイド印刷を行って廃券する廃券手段と、
を具備したことを特徴とする無線カード発行機。
【発明の詳細な説明】
【０００１】
【発明の属する技術分野】
この発明は、無線カードを発行する無線カード発行機に関する。
【０００２】
【従来の技術】
従来、ホッパから無線カードを取出し、購入客の指示に基づいて、カードの購入情報を印刷したり、購入情報を無線収受により付加した後、発行するようになっている。
【０００３】
このような無線カード発行機では、ホッパから取出された無線カードに対する重送の検知が行われていない。
【０００４】
このような無線カードの重送を防止するために、ホッパ出口での厚み規制を行っているが、実際に重送された場合は、発行機内部でジャムが発生し、発行機が停止することになる。さらに場合によっては、無線カードを重送したままあたかも正常に処理が終了した場合、乗客に正常でない無線カードを渡すことになる。
【０００５】
３上記した無線カード発行機では、従来のホッパ出口での厚み規制のみで対応していたため、調整等の不備により無線カードの２枚繰り出しが起こっている。
【０００６】
また、ホッパからの無線カードの重送が発生した場合、発行機内部でのジャムの発生は回避できず、なにより正常に発券動作が完了できないため、誤った券の発行の可能性も考えられる。
【０００７】
当然購入客に迷惑がかかり、場合によってはこれを不正利用される可能性もある。
【０００８】
これは、無線カード発行機の信頼性を損なう結果となる。
【０００９】
したがって、無線カードの重送によるジャムの発生を確実に防止することができるものが要望されている。
【００１０】
【発明が解決しようとする課題】
この発明は、上述した要望に対して、無線カードの重送によるジャムの発生を確実に防止することができる無線カード発行機を提供することを目的としている。
【００１１】
【課題を解決するための手段】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される少なくとも１つの無線カードから無線により送信される認識番号と上記読取手段により読取った認識番号とに基づいて、無線カードの重送か否かを判断する判断手段と、この判断手段により無線カードの重送が判断されなかった際に、所定の情報を付加した無線カードを発行する発行手段とを有する。
【００１２】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、この判断手段により無線カードの取出しが正常と判断した際に、所定の情報を付加した無線カードを発行する発行手段とを有する。
【００１３】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号が１つで、かつこの認識番号と上記読取手段により読取った認識番号とが一致した際、無線カードの取出しが正常と判断する第１の判断手段と、この第１の判断手段により無線カードの取出しが正常と判断した際に、所定の情報を付加した無線カードを発行する発行手段と、上記取出手段により取出される無線カードから無線により送信される認識番号が複数の場合、無線カードの重送を判断する第２の判断手段とを有する。
【００１４】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、この判断手段により無線カードの取出しが正常と判断した際に、所定の情報を付加した無線カードを発行する発行手段と、上記判断手段により無線カードの重送を判断した際、上記取出手段により取出された無線カードを回収する回収手段とを有する。
【００１５】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号が１つで、かつこの認識番号と上記読取手段により読取った認識番号とが一致した際、無線カードの取出しが正常と判断する第１の判断手段と、この第１の判断手段により無線カードの取出しが正常と判断した際に、所定の情報を付加した無線カードを発行する発行手段と、上記取出手段により取出される無線カードから無線により送信される認識番号が複数の場合、無線カードの重送を判断する第２の判断手段と、この第２の判断手段により無線カードの重送を判断した際、上記取出手段により取出された無線カードを回収する回収手段とを有する。
【００１６】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号と上記読取手段により読取った認識番号とが一致した際、無線カードの取出しが正常と判断し、上記認識番号が不一致の際、無線カードの重送を判断する判断手段と、この判断手段により無線カードの取出しが正常と判断した際に、所定の情報を付加した無線カードを発行する発行手段と、上記判断手段により無線カードの重送を判断した際、上記取出手段により取出された無線カードを分離する分離手段と、この分離手段により分離された無線カードに対して、上記発行手段により所定の情報を付加して発行する処理手段とを有する。
【００１７】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号が１つで、かつこの認識番号と上記読取手段により読取った認識番号とが一致した際、無線カードの取出しが正常と判断する第１の判断手段と、この第１の判断手段により無線カードの取出しが正常と判断した際に、所定の情報を付加した無線カードを発行する発行手段と、上記取出手段により取出される無線カードから無線により送信される認識番号が複数の場合、無線カードの重送を判断する第２の判断手段と、この第２の判断手段により無線カードの重送を判断した際、上記取出手段により取出された無線カードを分離する分離手段と、この分離手段により分離された無線カードに対して、上記発行手段により所定の情報を付加して発行する処理手段とを有する。
【００１８】
この発明の無線カード発行機は、認識番号が記載されているとともに無線により認識番号を送信する無線カードが収納されている収納手段と、この収納手段により収納されている無線カードを順次取出す取出手段と、この取出手段により取出される無線カードに記載されている認識番号を読取る読取手段と、上記取出手段により取出される無線カードから無線により送信される認識番号と上記読取手段により読取った認識番号とが一致した際、無線カードの取出しが正常と判断し、上記認識番号が不一致の際、無線カードの重送を判断する第１の判断手段と、この第１の判断手段により無線カードの取出しが正常と判断した際に、所定の情報を上記無線カードに印刷する印刷手段と、この印刷手段による印刷後、所定の情報を無線により上記無線カードに書込む書込み手段と、この書込み手段により無線カードに書き込んだ所定の情報を無線により無線カードから読出す読出し手段と、この読出し手段により読出した所定の情報と上記書込み手段により無線カードに書き込んだ所定の情報とが一致するか否かにより、上記無線カードに所定の情報が正確に書き込まれたか否かを判断する第２の判断手段と、この第２の判断手段により上記無線カードに所定の情報が正確に書き込まれたことが判断された際に、上記無線カードを発行する発行手段と、上記第２の判断手段により上記無線カードに所定の情報が正確に書き込まれたことが判断された際に、上記無線カードにボイド印刷を行って廃券する廃券手段とを有する。
【００１９】
【発明の実施の形態】
以下、図面を参照してこの発明の第１の実施形態の無線カード発行機を説明する。
【００２０】
この無線カード発行機は、購入客の指示に基づく無線カードＡを発行するものであり、たとえば交通機関等で用いられる無線式の乗車券、定期券（無線カードＡ）を販売する券売機等により構成されている。
【００２１】
この無線カード発行機は、図１に示すように、本体１の前面に、購入客用の接客部２を有している。この接客部２は、購入客により投入される硬貨を受入れる料金投入部３、この料金投入部３により投入された料金、釣り銭が表示される料金表示部４、上記料金投入部３により投入された料金により購入可能なカードの選択ボタンとしてのカード購入ボタン５、…、購入した（発券された）無線カードＡが排出されるカード排出部６、及び釣り銭が排出される釣り銭放出部７により構成されている。上記例では、硬貨を受入れたが紙幣も受入れるようにしても良い。
【００２２】
この無線カード発行機は、図２に示すように、本体１内に、購入情報が未記録な無線カードＡが積層されて収納されている（新しい無線カードＡが装填されている）収納手段としてのカードホッパ部１１、このカードホッパ部１１の最下部の無線カードＡを１枚ずつ主搬送路１２に取出す取出し部１３が設けられている。
【００２３】
上記無線カードＡは、制御部、記憶部、アンテナ部から構成されるものであり、記憶部にはあらかじめＩＤ番号（認識番号）が記憶されている。また、上記無線カードＡには、上記ＩＤ番号（認識番号）が印刷されている。
【００２４】
上記カードホッパ部１１の下方には、上記カードホッパ部１１から取出される無線カードＡに記載（印刷）されている認識番号（ＩＤ番号）を光学的に読取るＩＤ読取部１４が設けられている。
【００２５】
上記カードホッパ部１１から取出し部１３によって取出された無線カードＡは、主搬送路１２によって搬送され、上記カード排出部６から排出されるようになっている。上記カードホッパ部１１から取出し部１３までの主搬送路１２上には、ＩＤ番号無線確認部１５、回収箱１６、廃券箱１７、印刷部１８、および無線データ収受部１９が順に設けられている。
【００２６】
ＩＤ番号無線確認部１５は、上記カードホッパ部１１から取出し部１３によって取出された無線カードＡとの間で無線通信を行うことにより得られるＩＤ番号を確認するものである。
【００２７】
回収箱１６は、主搬送路１２の脇に設けられ、重送されている無線カードＡを、振分部１６ａにより主搬送路１２から回収するものであり、取出しミスした無線カードＡを回収するものである。
【００２８】
印刷部１８は、今回の購入客が選んだカードの購入情報を印刷し、目視で確認できるようにするものである。
【００２９】
また、印刷部１８は、無線データ収受部１９により正しく購入情報が付加されなかった際に、対応する無線カードＡにボイド印刷するものである。
【００３０】
廃券箱１７は、印刷部１８によりボイド印刷された廃棄する無線カードＡを、振分部１７ａにより主搬送路１２から回収するものであり、無線データ送受信が失敗した無線用カードを保管するものである。
【００３１】
無線データ収受部１９は、今回の購入客が選んだカードの購入情報を無線収受により付加するものである。また、無線データ収受部１９は、上記付加した購入情報を無線により無線カードＡから読取り、上記付加した情報と一致するか否かを確認し、正しく購入情報が付加されたか否かを確認するものである。
【００３２】
上記主搬送路１２は、モータ２０により駆動制御され、矢印ａ方向、あるいは矢印ｂ方向に無線カードＡを搬送するようになっている。
【００３３】
上記無線カード発行機には、料金投入部３の内側に図示しない検銭部が設けられ、上記釣り銭放出部７の上部の内側に図示しない釣り銭部が設けられている。検銭部は料金投入部３から投入された金額を計数するものである。
【００３４】
次に、無線カード発行機の制御回路について、図３を用いて説明する。
【００３５】
すなわち、無線カード発行機の全体を制御する制御部２１が設けられている。この制御部２１には、上記接客部２の料金表示部４、カード購入ボタン５、…、取出し部１３を駆動するドライバ２２、印刷部１８を駆動するドライバ２３、上記モータ２０を駆動するドライバ２４、上記振分部１６ａを回動するソレノイド２５を駆動するドライバ２６、上記振分部１７ａを回動するソレノイド２７を駆動するドライバ２８、上記主搬送路１２における無線カードＡによる搬送状態、搬送ジャムを検知するセンサ２７、上記ＩＤ読取部１４、ＩＤ番号無線確認部１５、無線データ収受部１９が接続されている。
【００３６】
次に、上記のような構成において、発券処理について図４に示すフローチャートを参照しつつ説明する。
【００３７】
まず、購入客は料金投入部３により購入に伴う金額を投入する。すると、制御部２１は投入金額に応じてカード購入ボタン５、…を選択的に点灯する。
【００３８】
次に、購入客はこの点灯されているカード購入ボタン５、…の１つを選択して押し下げる（ＳＴ１）。
【００３９】
また、制御部２１は上記ＩＤ読取部１４により上記カードホッパ部１１から取出される無線カードＡに記載（印刷）されている認識番号（ＩＤ番号）を光学的に読取る（ＳＴ２）。ついで、制御部２１は取出し部１３を駆動制御し、上記カードホッパ部１１から無線カードＡを取出し（繰り出し）（ＳＴ３）、主搬送路１２により搬送する。この際、制御部２１がモータ２０を駆動制御することにより、無線カードＡが主搬送路１２上を矢印ａ方向へ搬送される。
【００４０】
ついで、制御部２１はＩＤ番号無線確認部１５により、主搬送路１２を搬送される無線カードＡとの間で無線通信を行うことによりＩＤ番号を確認する（ＳＴ４）。
【００４１】
さらに、制御部２１は上記ＩＤ読取部１４により読取ったＩＤ番号と上記ＩＤ番号無線確認部１５により無線通信により得られたＩＤ番号とを照合する（ＳＴ５）。
【００４２】
この照合の結果、制御部２１は読取ったＩＤ番号と無線通信により得られたＩＤ番号とが一致している場合（ＳＴ６）、印刷部１８を駆動制御し、今回の購入客が選んだカードの購入情報を主搬送路１２によって搬送される無線カードＡの表面に印刷し、目視で確認できるようにする（ＳＴ７）。
【００４３】
ついで、制御部２１は無線データ収受部１９により今回の購入客が選んだカードの購入情報を無線収受により無線カードＡに付加する（書き込む）（ＳＴ８）。
【００４４】
この後、制御部２１は無線データ収受部１９により無線収受により無線カードＡに書き込んだ購入情報を読取り（ベリファイリード）（ＳＴ９）、書き込んだ購入情報とベリファイリードにより読取った購入情報と一致するか否かをチェックする（ＳＴ１０）。これにより、購入情報が確実に無線カードＡに送信されているかどうか確認される。
【００４５】
このチェックの結果、書き込んだ購入情報とベリファイリードにより読取った購入情報と一致した際、制御部２１は正常な発行と判断し、モータ２０を回転駆動することにより、無線データ収受部１９に位置する無線カードＡをカード排出部６から排出（発行）する（ＳＴ１１）。
【００４６】
また、上記ステップ６の照合の結果、制御部２１は読取ったＩＤ番号と無線通信により得られたＩＤ番号とが一致しなかった場合、あるいは無線通信により得られたＩＤ番号が２つあった場合（重送の場合）、振分部１６ａを駆動することにより、主搬送路１２によって搬送される重送の無線カードＡが振分部１６ａにより回収箱１６へ回収される（ＳＴ１２）。この後、制御部２１は再発行動作へ移り、ステップ２に戻る。
【００４７】
また、上記ステップ１０のチェックの結果、書き込んだ購入情報とベリファイリードにより読取った購入情報と一致しなかった際、制御部２１はモータ２０を逆方向に回転駆動する。これにより、無線カードＡが主搬送路１２上を矢印ｂ方向へ搬送される。そして、無線カードＡが印刷部１８に対向した際、制御部２１は印刷部１８を駆動制御し、無線カードＡの表面にボイド印刷を行う（ＳＴ１３）。この後、制御部２１は振分部１７ａを駆動することにより、さらに主搬送路１２上をｂ方向へ搬送される無線カードＡが振分部１７ａにより廃券箱１７へ廃棄される（ＳＴ１４）。この後、制御部２１は再発行動作へ移り、ステップ２に戻る。
【００４８】
上記したように、無線カードをカードホッパ部から取出した際、無線により繰り出された無線カードの重送を検知し、重送の場合には搬送路から重送された無線カードを外すことにより無線カード発行機の信頼性を向上する。
【００４９】
また、無線カードをカードホッパ部から取出した際、あらかじめ次繰り出しカードのＩＤ番号を光学的に読み取り、繰り出された無線カードのＩＤ番号を無線で読み取り照合、複数、あるいは不一致のＩＤ番号を検知した場合には重送と判断し、主搬送路脇にある回収箱へ重送された無線カードを送り、あらためて無線カードの繰り出しを行うことにより無線カード発行機の信頼性を向上する。
【００５０】
また、カードホッパ部から取出された無線カードから光学的に読み取ったＩＤ番号と無線データにより読み取ったＩＤ番号とを照合することにより重送を検知し、重送であった場合には主搬送路から重送された無線カードを外し、あらたに無線カードを繰り出すことにより無線カード発行機の信頼性を向上となる。
【００５１】
これにより、印刷処理に進むカードホッパ部からの無線カードの取出しに関して、重送の場合にも無線カード発行機を止めず、発券業務を継続することができる。
【００５２】
また、カードホッパ部からの無縁カードの取出しに関して、重送の場合にも無線カード発行機を止めず、発券業務を継続することができ、重送された無線カードも無線カード発行機内部で再利用できる。
【００５３】
また、カードホッパ部からの無線カードの取出しに関して、重送の場合にも無線カード発行機を止めず、発券業務を継続することができ、重送された無線カードは係員の対応により再びカードホッパ部へ入れるため、カード寿命であるものを選別あるいは、傷ついている無線カードを振り分けるなどの作業をすることが可能である。
【００５４】
特に、無線カードが薄くなった際に効果を発揮する。
【００５５】
次に、第２の実施形態について、図５、図６を用いて説明する。すなわち、第２の実施形態は、図５に示すように、第１の実施形態の回収箱１６の代わりに、分離ローラ３０が設けられているものであり、他の共通部分については、同一符号を付し、説明を省略する。ただし、図６に示すように、振分部１６ａ、ソレノイ２５、ドライバ２６が削除され、分離ローラ３０を駆動するドライバ３１が設けられている。
【００５６】
この分離ローラ３０は、ＩＤ番号無線確認部１５と廃券箱１７との間の主搬送路１２上に設けられ、無線カードＡの重送が判断された際に、分離操作が行われるものである。この分離ローラ３０は、上ローラ３０ａと下ローラ３０ｂとが逆回転することにより、主搬送路１２を搬送される２枚の無線カードＡを１枚ずつに分離するものである。
【００５７】
この際、分離ローラ３０により分離された先頭の無線カードＡが次工程であるカード表面への印刷処理へ移る。残った無線カードＡは次のカード発行時に使用されるようになっている。
【００５８】
次に、上記のような構成において、発券処理について図７に示すフローチャートを参照しつつ説明する。
【００５９】
まず、購入客は料金投入部３により購入に伴う金額を投入する。すると、制御部２１は投入金額に応じてカード購入ボタン５、…を選択的に点灯する。
【００６０】
次に、購入客はこの点灯されているカード購入ボタン５、…の１つを選択して押し下げる（ＳＴ２１）。
【００６１】
この際、制御部２１は前回処理時の重送された無線カードＡの２枚目が上記カードホッパ部１１の出口に残っているか否かをチェックする（ＳＴ２２）。
【００６２】
このチェックの結果、前回処理時の重送された無線カードＡの残りがない場合、制御部２１は上記ＩＤ読取部１４により上記カードホッパ部１１から取出される無線カードＡに記載（印刷）されている認識番号（ＩＤ番号）を光学的に読取る（ＳＴ２３）。ついで、制御部２１は取出し部１３を駆動制御し、上記カードホッパ部１１から無線カードＡを取出し（繰り出し）（ＳＴ２４）、主搬送路１２により搬送する。この際、制御部２１がモータ２０を駆動制御することにより、無線カードＡが主搬送路１２上を矢印ａ方向へ搬送される。
【００６３】
ついで、制御部２１はＩＤ番号無線確認部１５により、主搬送路１２を搬送される無線カードＡとの間で無線通信を行うことによりＩＤ番号を確認する（ＳＴ２５）。
【００６４】
さらに、制御部２１は上記ＩＤ読取部１４により読取ったＩＤ番号と上記ＩＤ番号無線確認部１５により無線通信により得られたＩＤ番号とを照合する（ＳＴ２６）。
【００６５】
この照合の結果、制御部２１は読取ったＩＤ番号と無線通信により得られたＩＤ番号とが一致している場合（ＳＴ２７）、印刷部１８を駆動制御し、今回の購入客が選んだカードの購入情報を主搬送路１２によって搬送される無線カードＡの表面に印刷し、目視で確認できるようにする（ＳＴ２８）。
【００６６】
ついで、制御部２１は無線データ収受部１９により今回の購入客が選んだカードの購入情報を無線収受により無線カードＡに付加する（書き込む）（ＳＴ２９）。
【００６７】
この後、制御部２１は無線データ収受部１９により無線収受により無線カードＡに書き込んだ購入情報を読取り（ベリファイリード）（ＳＴ３０）、書き込んだ購入情報とベリファイリードにより読取った購入情報と一致するか否かをチェックする（ＳＴ３１）。これにより、購入情報が確実に無線カードＡに送信されているかどうか確認される。
【００６８】
このチェックの結果、書き込んだ購入情報とベリファイリードにより読取った購入情報と一致した際、制御部２１は正常な発行と判断し、モータ２０を回転駆動することにより、無線データ収受部１９に位置する無線カードＡをカード排出部６から排出（発行）する（ＳＴ３２）。
【００６９】
また、上記ステップ２７の照合の結果、制御部２１は読取ったＩＤ番号と無線通信により得られたＩＤ番号とが一致しなかった場合、あるいは無線通信により得られたＩＤ番号が２つあった場合（重送の場合）、分離ローラ３０を駆動することにより、主搬送路１２によって搬送される重送の無線カードＡが分離部３０により分離され、１枚目の無線カードＡのみが印刷部１８へ搬送され（ＳＴ３３）、ステップ２８の印刷処理に進む。この際、分離部３０により分離された２枚目の無線カードＡは、上記カードホッパ部１１の出口に残っている。
【００７０】
また、上記ステップ３１のチェックの結果、書き込んだ購入情報とベリファイリードにより読取った購入情報と一致しなかった際、制御部２１はモータ２０を逆方向に回転駆動する。これにより、無線カードＡが主搬送路１２上を矢印ｂ方向へ搬送される。そして、無線カードＡが印刷部１８に対向した際、制御部２１は印刷部１８を駆動制御し、無線カードＡの表面にボイド印刷を行う（ＳＴ３４）。この後、制御部２１は振分部１７ａを駆動することにより、さらに主搬送路１２上をｂ方向へ搬送される無線カードＡが振分部１７ａにより廃券箱１７へ廃棄される（ＳＴ３５）。この後、制御部２１は再発行動作へ移り、ステップ２２に戻る。
【００７１】
また、上記ステップ２２のチェックの結果、制御部２１は前回処理時の重送された無線カードＡの２枚目が残っている場合、この無線カードＡが印刷部１８へ搬送され（ＳＴ３６）、ステップ２８の印刷処理に進む。
【００７２】
上記したように、無線カードをカードホッパ部から取出した際、無線により繰り出された無線カードの重送を検知し、重送の場合には分離ローラにより重送された無線カードを分離して処理を継続することにより無線カード発行機の信頼性を向上する。
【００７３】
また、無線カードをカードホッパ部から取出した際、あらかじめ次繰り出しカードのＩＤ番号を光学的に読み取り、繰り出されたカードのＩＤ番号を無線で読み取り照合、複数毎、あるいは不一致のＩＤ番号を検知した場合には重送と判断し、分離ローラにより分離を行う。分離が行われた無線カードは次工程へ送られ無線カード発行機を止めずにカード処理を継続できることにより信頼性を向上する。
【００７４】
また、カードホッパ部から取出された無線カードから光学的に読み取ったＩＤ番号と無線データにより読み取ったＩＤ番号とを照合することにより重送を検知し、重送であった場合には分離ローラにより重送された無線カードを分離し、１枚にしてからカード処理を行うようにすることにより、無線カード発行機を止めず信頼性を向上する。
【００７５】
これにより、印刷処理に進むカードホッパ部からの無線カードの取出しに関して、重送の場合にも無線カード発行機を止めず、発券業務を継続することができる。
【００７６】
また、カードホッパ部からの無縁カードの取出しに関して、重送の場合にも無線カード発行機を止めず、発券業務を継続することができ、重送された無線カードも無線カード発行機内部で再利用できる。
【００７７】
また、カードホッパ部からの無線カードの取出しに関して、重送の場合にも無線カード発行機を止めず、発券業務を継続することができ、重送されたカードは自動的に無線カード発行機内部で再度発券カードの対象となるのでカードの補充頻度の低減となる。
【００７８】
特に、無線カードが薄くなった際に効果を発揮する。
【００７９】
【発明の効果】
以上詳述したように、この発明によれば、無線カードの重送によるジャムの発生を確実に防止することができる無線カード発行機を提供できる。
【図面の簡単な説明】
【図１】この発明の第１の実施形態における無線カード発行機の接客面を示す図。
【図２】第１の実施形態における無線カード発行機の内部構成を示す図。
【図３】第１の実施形態における無線カード発行機の制御回路を示す図。
【図４】第１の実施形態における無線カード発行機の発券処理を説明するためのフローチャート。
【図５】第２の実施形態における無線カード発行機の内部構成を示す図。
【図６】第２の実施形態における無線カード発行機の制御回路を示す図。
【図７】第２の実施形態における無線カード発行機の発券処理を説明するためのフローチャート。
【符号の説明】
Ａ…無線カード
１１…カードホッパ部
１２…主搬送路
１３…取出し部
１４…ＩＤ読取部
１５…ＩＤ番号無線確認部
１６…回収箱
１７…廃券箱
１８…印刷部
１９…無線データ収受部
２１…制御部
【図１】
0004460722.tif 000002
【図２】
0004460722.tif 000003
【図３】
0004460722.tif 000004
【図４】
0004460722.tif 000005
【図５】
0004460722.tif 000006
【図６】
0004460722.tif 000007
【図７】
0004460722.tif 000008